(57)【特許請求の範囲】
【請求項１】
パンチプレスに使用されるパンチのハイト調整等を行うときに、上記パンチにおけるパンチボディを万力によって強固に挟持固定する際に使用するパンチ保持具であって、前記万力の固定、可動の両クランプジョー（２５Ａ，２５Ｂ）に支持されるフランジ部（２７Ｆ）を両側に備えたフランジプレート（２７）の下部にホルダ本体（２３）を備え、前記フランジプレート（２７）及びホルダ本体（２３）に、前記パンチボディ（１）を挿入自在のパンチボディ挿入孔（３１Ａ，３１Ｂ）を備え、当該パンチボディ挿入孔（３１Ａ，３１Ｂ）に挿入したパンチボディ（１）を締付けて固定保持するための押圧可動部材（３５Ａ，３５Ｂ）を前記ホルダ本体（２３）に移動自在に備えると共に前記クランプジョー（２５Ａ，２５Ｂ）によって前記押圧可動部材（３５Ａ，３５Ｂ）を挿圧自在に構成してあることを特徴とするパンチ保持治具。
【請求項２】
請求項１に記載のパンチ保持治具において、大径，小径のパンチボディに対応すべく、径の異なる複数のパンチボディ挿入孔をホルダ本体に備えたことを特徴とするパンチ保持治具。
【発明の詳細な説明】
【０００１】
【発明の属する技術分野】
本発明は、例えばタレットパンチプレス等のごときパンチプレスに使用される上型としてのパンチのハイト調整等を行うときに、上記パンチにおけるパンチボディを万力等によって強固に挾持固定する際に使用するパンチ保持治具に係り、さらに詳細には、パンチボディに傷等を生じることなく容易に固定保持することのできるパンチ保持治具に関する。
【０００２】
【従来の技術】
例えば、タレットパンチプレス等のごときパンチプレスに使用される上型としてのパンチは、長時間使用してパンチ刃部が摩耗すると、再研磨して使用することがある。この場合、パンチ刃部の再研磨によってパンチ全体の長さ寸法が変化するので、パンチヘッドの高さ位置を微調整してハイト調整を行うことがある。
【０００３】
ところで、上型としてのパンチにおけるパンチボディ１は、一般的には図１に示すように、キー３を突出して備えた大径部１Ａの下部に形成した小径部の下端部にパンチ刃部１Ｂを備え、かつ上記大径部１Ａの上部に長く設けたシャンク部１Ｃの上端部に螺子部１Ｄを備えた構成である。
【０００４】
上記螺子部１Ｄに上下調節自在に螺合したパンチヘッド５の下部には、外周面をテーパ状に形成しかつ内周面から外周面に至るスリット（図示省略）を下端部から形成することによって径を縮小可能の筒状部５Ａが形成してあり、この筒状部５Ａの外周面のテーパ部にはリング状のスプリング座７が嵌合してある。そして、パンチボディ１の前記大径部１Ａに当接したリテーナカラー９と上記スプリング座７との間には極めて強力なストリッパースプリング１１が弾装してある。
【０００５】
【発明が解決しようとする課題】
上述のごとき構成において、パンチ刃部１Ｂの再研磨を行うことによって全体の長さ寸法が短くなったときには、パンチボディ１に対してパンチヘッド５を回転し微少量上方向へ移動することによってハイト調整を行うものである。この場合、パンチヘッド５のテーパ部にスプリング座７が嵌合し、かつ強力なストリッパースプリング１１が弾装してあることにより、パンチボディ１の螺子部１Ｄに対するパンチヘッド５の前記筒状部５Ａが締付けられて螺合状態が極めて固くなり、パンチヘッド５を回転することが容易でない。
【０００６】
そこで、従来は、万力によってパンチボディ１の大径部１Ａを強力に挾持固定した状態に保持して、ヘッド回し治具（図示省略）における楔状部材１３Ａ，１３Ｂを、パンチヘッド５におけるフランジ部の下面とスプリング座７の上面との間のクリアランスに割り込ませて、スプリング座７を相対的に下降せしめることにより、ストリッパースプリング１１とテーパ部との作用による締付け力を緩めた後に、パンチヘッド５を回転せしめている。
【０００７】
上述のごとく、万力によってパンチボディ１を締付けると、パンチボディ１に傷を生じ易いものであり、また上記傷の発生を防止すべく万力とパンチボディとの間にアルミ板等を介在せしめる場合には、上記アルミ板の管理が厄介てあるという問題がある。さらに、万力のクランプジョーに対してパンチヘッド５に横方向の力が作用すると、上記クランプジョーのクランプ面に沿って倒れ易いという問題がある。
【０００８】
【課題を解決するための手段】
本発明は、前述のごとき従来の問題に鑑みてなされたもので、パンチプレスに使用されるパンチのハイト調整等を行うときに、上記パンチにおけるパンチボディを万力によって強固に挟持固定する際に使用するパンチ保持具であって、前記万力の固定、可動の両クランプジョー（２５Ａ，２５Ｂ）に支持されるフランジ部（２７Ｆ）を両側に備えたフランジプレート（２７）の下部にホルダ本体（２３）を備え、前記フランジプレート（２７）及びホルダ本体（２３）に、前記パンチボディ（１）を挿入自在のパンチボディ挿入孔（３１Ａ，３１Ｂ）を備え、当該パンチボディ挿入孔（３１Ａ，３１Ｂ）に挿入したパンチボディ（１）を締付けて固定保持するための押圧可動部材（３５Ａ，３５Ｂ）を前記ホルダ本体（２３）に移動自在に備えると共に前記クランプジョー（２５Ａ，２５Ｂ）によって前記押圧可動部材（３５Ａ，３５Ｂ）を挿圧自在に構成してあることを特徴とするものである。
【０００９】
請求項２に係る発明は、請求項１に記載のパンチ保持治具において、大径，小径のパンチボディに対応すべく、径の異なる複数のパンチボディ挿入孔をホルダ本体に備えた構成である。
【００１１】
【発明の実施の形態】
図１〜図３を参照するに、前記パンチボディ１を保持するためのパンチ保持治具２１は、直方体状のホルダ本体２３を備えており、このホルダ本体２３の上部には、万力における固定，可動の両クランプジョー２５Ａ，２５Ｂに支持されるフランジ部２７Ｆをホルダ本体２３の両側へ突出して備えたフランジプレート２７が複数のボルト２９によって一体的に取付けてある。
【００１２】
上記フランジプレート２７及びホルダ本体２３には、大径，小径のパンチボディ１を挿入自在のパンチボディ挿入孔３１Ａ，３１Ｂが形成してある。上記各パンチボディ挿入孔３１Ａ，３１Ｂは、大径，小径のパンチボディに対応すべく径が異なるものであり、各パンチボディ挿入孔３１Ａ，３１Ｂにはそれぞれキー溝３３Ａ，３３Ｂが形成してある。
【００１３】
前記各パンチボディ挿入孔３１Ａ，３１Ｂに挿入したパンチボディを締付けて固定保持するために、前記ホルダ本体２３には矩形状の溝２３Ａ，２３Ｂが形成してあり、この各溝２３Ａ，２３Ｂ内には、各パンチボディ挿入孔３１Ａ，３１Ｂの軸心に対して交差する方向，本例においては軸心に対して直交する方向へパンチボディを押圧自在の押圧可動部材３５Ａ，３５Ｂがそれぞれ移動自在に備えられている。
【００１４】
上記各押圧可動部材３５Ａ，３５Ｂの内側面は、各パンチボディ挿入孔３１Ａ，３１Ｂに対応した径の半円形の曲面３５ＡＦ，３５ＢＦに形成してあり、外側面は、図１，図２に示すように、前記ホルダ本体２３の側面から適宜に突出してある。また、前記各溝２３Ａ，２３Ｂから各押圧可動部材３５Ａ，３５Ｂが抜け出すのを防止すべく、各押圧可動部材３５Ａ，３５Ｂに形成した長溝３７Ａ，３７Ｂに、ホルダ本体２３に固定したストッパーピン３９Ａ，３９Ｂの先端部が係合してある。
【００１５】
以上のごとき構成において、パンチボディ１の固定保持を行うには、パンチボディ１をパンチボディ挿入孔３１Ａに挿入すると共にキー３をキー溝３３Ａに係合する。その後、万力における両クランプジョー２５Ａ，２５Ｂの間にホルダ本体２３を配置しかつフランジプレート２７のフランジ部２７Ｆを上記両クランプジョー２５Ａ，２５Ｂによって支持する。
【００１６】
次に、万力を操作して両クランプジョー２５Ａ，２５Ｂによってホルダ本体２３を締付けると、押圧可動部材３５Ａの外側面が押圧されて内方向へ移動されるので、パンチボディ挿入孔３１Ａ内のパンチボディ１はパンチボディ挿入孔３１Ａ内に固定保持されることになる。
【００１７】
上述のごとく、パンチボディ１をパンチ保持治具２１に固定保持した後、前述したヘッド回し治具における楔状部材１３Ａ，１３Ｂをパンチヘッド５とスプリング座７との間のクリアランスに割り込ませ、前述したようにパンチヘッド５を回してハイト調整を行うものである。
【００１８】
既に理解されるように、パンチ保持治具２１のホルダ本体２３に形成したパンチボディ挿入孔にパンチボディ１を挿入した後、上記ホルダ本体２３を万力のクランプジョー２５Ａ，２５Ｂによって締付けることによりパンチボディ１の固定を行うことができ、その固定が容易であると共にパンチボディ１に傷を付与するようなことがないものである。
【００１９】
また、ホルダ本体２３に、万力のクランプジョー２５Ａ，２５Ｂに支持されるフランジ部を設けたので、万力の両クランプジョー２５Ａ，２５Ｂの間へのホルダ本体２３の配置，位置決めが容易である。さらに、ホルダ本体２３には大径，小径のパンチボディに対応すべく径の異なる複数のパンチボディ挿入孔が形成してあるので、パンチボディの径が異なる場合であっても容易に対応できるものである。
【００２０】
【発明の効果】
以上のごとき説明より理解されるように、要するに請求項１に係る発明においては、万力等のクランプジョーに支持されるフランジ部をホルダ本体に備えた構成であるから、万力における両クランプジョーの間へのホルダ本体の配置、位置決めが容易である。また、パンチボディを挿入自在のパンチボディ挿入孔を備えたホルダ本体に、上記パンチボディ挿入孔に挿入したパンチボディを当該挿入孔の軸心に対して交差する方向へ押圧自在の押圧可動部材を移動自在に備えた構成であるから、万力によってホルダ本体を締付けることによりパンチボディをホルダ本体に固定することができるものである。この際、パンチボディに傷等を生じることはないものである。
【００２１】
請求項２に係る発明は、請求項１に記載のパンチ保持治具において、大径，小径のパンチボディに対応すべく、径の異なる複数のパンチボディ挿入孔をホルダ本体に備えた構成であるから、パンチボディの径が異なる場合であっても容易に対応することができる。
【図面の簡単な説明】
【図１】本発明に係るパンチ保持治具にパンチボディを固定保持した状態を示す断面説明図である。
【図２】パンチ保持治具の平面説明図である。
【図３】パンチ保持治具の正面説明図である。
【符号の説明】
１  パンチボディ
５  パンチヘッド
２１  パンチ保持治具
２３  ホルダ本体
２５Ａ，２５Ｂ  クランプジョー
２７  フランジプレート
２７Ｆ  フランジ部
３１Ａ，３１Ｂ  パンチボディ挿入孔
３５Ａ，３５Ｂ  押圧可動部材
【図１】
0004241988.tif 000002
【図２】
0004241988.tif 000003
【図３】
0004241988.tif 000004